(57)【要約】【課題】  鍵盤蓋の収納スペースをコンパクトに形成でき、楽器全体の小型化を図ることができる鍵盤蓋の開閉装置を提供する。【解決手段】  楽器ケース１に対してスライドする鍵盤蓋９が楽器ケース１内の鍵盤部７を覆って閉じた位置から鍵盤蓋９が楽器ケース１内に移動して鍵盤部７を露出させる位置まで鍵盤蓋９をガイドするガイド部１２と、鍵盤蓋９とガイド部１２とを摺動自在に連結するガイド摺動連結部材１５とを備えている。従って、ガイド部１２によって鍵盤蓋９がガイドされて移動する際に、ガイド摺動連結部材１５によって鍵盤蓋９をガイド部１２に対して相対的に摺動させて鍵盤蓋９の移動長さを鍵盤蓋９のスライド方向の長さよりも短くすることができる。これにより、鍵盤蓋９を楽器ケース１内に確実に且つ良好に収納することができると共に、鍵盤部７を鍵盤蓋９で確実に且つ良好に覆うことができる。【選択図】        図１
2013164505.tif 000002
【特許請求の範囲】
【請求項１】
鍵盤部を有する楽器ケースに対しスライドして前記鍵盤部を開閉自在に覆う鍵盤蓋の開閉装置において、
前記鍵盤蓋が前記鍵盤部を覆って閉じた位置から前記鍵盤蓋が前記楽器ケース内に移動して前記鍵盤部を露出させる位置まで前記鍵盤蓋をガイドするガイド部と、
前記鍵盤蓋と前記ガイド部とを摺動自在に連結するガイド摺動連結部材と
を備えていることを特徴とする鍵盤蓋の開閉装置。
【請求項２】
請求項１に記載の鍵盤蓋の開閉装置において、前記ガイド部は、前記鍵盤蓋のスライド方向における一端部をガイドする第１ガイド部と、前記鍵盤蓋のスライド方向における他端部をガイドする第２ガイド部とを備えていることを特徴とする鍵盤蓋の開閉装置。
【請求項３】
請求項１または請求項２に記載の鍵盤蓋の開閉装置において、前記ガイド摺動連結部材は、前記鍵盤蓋のスライド方向における一方の端部に取り付けられて前記ガイド部に沿う長孔を有する取付片と、この取付片の前記長孔内に移動可能に配置されて前記ガイド部に沿ってガイドされるガイド軸とを備えていることを特徴とする鍵盤蓋の開閉装置。
【請求項４】
請求項３に記載の鍵盤蓋の開閉装置において、前記ガイド摺動連結部材は、前記ガイド軸を前記鍵盤蓋の前側と前記鍵盤蓋の後側とのいずれか一方に向けて付勢するばね部材を備えていることを特徴とする鍵盤蓋の開閉装置。
【請求項５】
請求項１または請求項２に記載の鍵盤蓋の開閉装置において、前記ガイド摺動連結部材は、前記鍵盤蓋のスライド方向における一方の端部に前記ガイド部に沿って移動可能に取り付けられた可動取付片と、この可動取付片に回転自在に取り付けて前記ガイド部に沿ってガイドされるガイド軸とを備えていることを特徴とする鍵盤蓋の開閉装置。
【請求項６】
請求項５に記載の鍵盤蓋の開閉装置において、前記ガイド摺動連結部材は、前記可動取付片を前記鍵盤蓋の前側と前記鍵盤蓋の後側とのいずれか一方に向けて付勢するばね部材を備えていることを特徴とする鍵盤蓋の開閉装置。
【請求項７】
請求項１〜請求項６のいずれかに記載の鍵盤蓋の開閉装置において、前記ガイド軸に回転自在に取り付けられたピニオンギアと、前記ガイド部に設けられて前記鍵盤蓋の開閉動作に応じて前記ピニオンギアが噛み合って回転移動するラックギアとを備えていることを特徴とする鍵盤蓋の開閉装置。
【発明の詳細な説明】
【技術分野】
【０００１】
この発明は、ピアノやオルガンなどの鍵盤楽器に用いられる鍵盤蓋の開閉装置に関する。
【背景技術】
【０００２】
例えば、ピアノなどの鍵盤楽器においては、特許文献１に記載されているように、楽器ケース内に設けられた鍵盤部を、楽器ケースに対してスライドする鍵盤蓋によって、開閉可能に覆うように構成されたものが知られている。
【先行技術文献】
【特許文献】
【０００３】
【特許文献１】特開平１０−２０７４４８号公報
【０００４】
このような鍵盤楽器における鍵盤蓋の開閉装置は、鍵盤蓋を円滑に開閉するために、楽器ケース内にガイドレール部を設け、このガイドレール部に設けられたガイド溝によって鍵盤蓋の後端部に回転自在に設けられたガイド軸をガイドすると共に、ガイドレール部に設けられたラックギアに、ガイド軸に設けられたピニオンギアが噛み合って回転移動するように構成されている。
【発明の概要】
【発明が解決しようとする課題】
【０００５】
しかしながら、このような鍵盤蓋の開閉装置では、ガイドレール部に設けられたガイド溝およびラックギアの各長さを鍵盤蓋の開閉時における移動長さと同じ長さに設定しなければ、鍵盤蓋を楽器ケース内に確実に収納することができない。このため、楽器ケース内における鍵盤蓋の収納スペースをコンパクトに形成することができず、楽器全体の小型化を図ることができないという問題がある。
【０００６】
この発明が解決しようとする課題は、鍵盤蓋の収納スペースをコンパクトに形成することができ、楽器全体の小型化を図ることができる鍵盤蓋の開閉装置を提供することである。
【課題を解決するための手段】
【０００７】
この発明は、鍵盤部を有する楽器ケースに対しスライドして前記鍵盤部を開閉自在に覆う鍵盤蓋の開閉装置において、前記鍵盤蓋が前記鍵盤部を覆って閉じた位置から前記鍵盤蓋が前記楽器ケース内に移動して前記鍵盤部を露出させる位置まで前記鍵盤蓋をガイドするガイド部と、前記鍵盤蓋と前記ガイド部とを摺動自在に連結するガイド摺動連結部材とを備えていることを特徴とする鍵盤蓋の開閉装置である。
【発明の効果】
【０００８】
この発明によれば、ガイド部によって鍵盤蓋がガイドされて移動する際に、ガイド摺動連結部材によって鍵盤蓋をガイド部に対して相対的に摺動させて鍵盤蓋の移動長さを鍵盤蓋のスライド方向の長さよりも短くすることができるので、鍵盤蓋を楽器ケース内に確実に且つ良好に収納することができると共に、鍵盤部を鍵盤蓋で確実に且つ良好に覆うことができる。このため、楽器ケース内における鍵盤蓋の収納スペースをコンパクトに形成することができ、これにより楽器全体の小型化を図ることができる。
【図面の簡単な説明】
【０００９】
【図１】この発明を鍵盤楽器に適用した第１実施形態において、鍵盤蓋が鍵盤部を覆って閉じた状態を示した断面図である。
【図２】図１に示された鍵盤楽器において鍵盤蓋を開いて楽器ケース内に収納した状態を示した断面図である。
【図３】図１に示された鍵盤楽器において鍵盤蓋の下面に設けられたガイド摺動連結部材を示した要部の拡大裏面図である。
【図４】図３に示された鍵盤蓋およびガイド摺動連結部材を背面側から見た要部の拡大背面図である。
【図５】図３に示されたガイド摺動連結部材を示し、（ａ）は図３のＡ−Ａ矢視において上下反転して示した要部の拡大側面図、（ｂ）は（ａ）のガイド摺動連結部材のピニオンギアを取り除いた状態における要部の拡大側面図、（ｃ）は図２に示された状態のガイド摺動連結部材を示した要部の拡大側面図である。
【図６】この発明を鍵盤楽器に適用した第２実施形態において、鍵盤蓋を開いて楽器ケース内に収納した状態を示した断面図である。
【図７】図６に示された鍵盤楽器におけるガイド摺動連結部材を示し、（ａ）はその要部の拡大側面図、（ｂ）は鍵盤蓋が鍵盤部を覆って閉じる際におけるガイド摺動連結部材を示した要部の拡大側面図である。
【図８】この発明を鍵盤楽器に適用した第３実施形態において、鍵盤蓋が鍵盤部を覆って閉じた状態を示した断面図である。
【図９】図８に示された鍵盤楽器において鍵盤蓋を開いて楽器ケース内に収納した状態を示した断面図である。
【図１０】図８に示された鍵盤楽器におけるガイド摺動連結部材を示し、（ａ）はその要部の拡大斜視図、（ｂ）はその要部の拡大裏面図である。
【図１１】図８および図９に示された鍵盤楽器におけるガイド摺動連結部材を示し、（ａ）は鍵盤蓋が鍵盤部を覆って閉じた状態におけるガイド摺動連結部材の拡大側面図、（ｂ）は鍵盤蓋を開いて楽器ケース内に収納する状態におけるガイド摺動連結部材の拡大側面図である。
【図１２】この発明を鍵盤楽器に適用した第４実施形態において、鍵盤蓋を開いて楽器ケース内に収納した状態を示した断面図である。
【図１３】図１２に示された鍵盤楽器におけるガイド摺動連結部材を示し、（ａ）はその要部の拡大側面図、（ｂ）は鍵盤蓋が鍵盤部を覆って閉じる際におけるガイド摺動連結部材を示した要部の拡大側面図である。
【発明を実施するための形態】
【００１０】
（第１実施形態）
以下、図１〜図５を参照して、この発明を鍵盤楽器に適用した第１実施形態について説明する。
この鍵盤楽器は、図１および図２に示すように、楽器ケース１を備えている。この楽器ケース１は、脚部を兼ねる一対の側板２と、この一対の側板２間における上部側に位置する箇所に設けられた棚板である底板３と、この底板３の前端部（図１では左端部）上に設けられた前板４と、底板３の後端部（図１では右端部）に設けられた後板５と、この後板５の上部および一対の側板２における後部側の上部に亘って設けられた天板６とを備えている。
【００１１】
これにより、楽器ケース１は、図１および図２に示すように、天板６の前側（図１では左側）が開放されたほぼ箱形状に形成されている。この楽器ケース１の内部には、鍵盤部７が上方に露出する状態で設けられている。この鍵盤部７は、白鍵７ａおよび黒鍵７ｂを備え、これら白鍵７ａおよび黒鍵７ｂが、底板３上に設けられた鍵盤シャーシ８上に上下方向に回転可能に取り付けられた状態で、多数配列された構成になっている。
【００１２】
また、この楽器ケース１の上部には、図１および図２に示すように、鍵盤部７を覆う鍵盤蓋９が開閉装置１０によって開閉可能に設けられている。この鍵盤蓋９は、図１に示すように、鍵盤部７の上方に配置されて鍵盤部７を覆って閉じた状態のときに、前下がり（図１では左下がり）に傾斜した状態で配置されるように構成されている。また、この鍵盤蓋９は、図２に示すように、鍵盤部７が天板６の下側に位置した状態で楽器ケース２内に収納された状態のときに、後下がり（図２では右下がり）に傾斜した状態で配置されるように構成されている。
【００１３】
この場合、鍵盤蓋９の前端部には、図１および図２に示すように、鍵盤蓋９をスライドさせるための取手部１１が取り付けられている。この取手部１１の下端部には、楽器ケース１の側板２の内面に設けられた後述するガイド部１２の前側ガイド溝１３に沿ってガイドされる前側ガイド軸１４が、両側の側板２の内面に向けて突出して設けられている。
【００１４】
ところで、鍵盤蓋９を開閉させるための開閉装置１０は、図１〜図４に示すように、鍵盤蓋９が鍵盤部７を覆って閉じた位置から鍵盤蓋９が楽器ケース１内にスライドして鍵盤部７を露出させる位置まで鍵盤蓋９をガイドするガイド部１２と、鍵盤蓋９とガイド部１２とを摺動自在に連結するガイド摺動連結部材１５とを備えている。
【００１５】
この場合、ガイド部１２は、図１および図２に示すように、前側ガイド溝１３と後側ガイドレール部１６とを備えている。前側ガイド溝１３は、鍵盤部７の前側から立ち上がり、鍵盤部７の上側に沿って斜め上方に向けて緩やかに傾斜した状態で後方に延び、この後方に延びた部分が天板６の前端部の下側に位置するように、楽器ケース１の側板２の内面に設けられている。これにより、前側ガイド溝１３は、鍵盤蓋９の前端部に位置する前側ガイド軸１４を鍵盤部７の前端部から鍵盤部７の後端部に亘ってガイドするように構成されている。
【００１６】
後側ガイドレール部１６は、図１および図２に示すように、楽器ケース１の天板６の下側に位置する箇所の側板２の内面に、後部下り（図１では右下がり）に緩やかに傾斜した状態で設けられている。この後側ガイドレール部１６には、後述する後側ガイド軸１７をガイドする後側ガイド溝１８が、後側ガイドレール部１６と同様、後部下り（図１では右下がり）に緩やかに傾斜した状態で設けられている。
【００１７】
一方、ガイド摺動連結部材１５は、図３〜図５に示すように、鍵盤蓋９の後端部（図５（ａ）では右端部）に取り付けられた取付片２０と、この取付片２０に設けられた長孔２０ａ内に移動可能に配置された状態で後側ガイドレール部１６に沿ってガイドされる後側ガイド軸１７と、この後側ガイド軸１７を鍵盤蓋９の前側、つまり鍵盤蓋９を閉じる方向に向けて付勢するばね部材２１とを備えている。
【００１８】
この場合、取付片２０には、図５（ａ）〜図５（ｃ）に示すように、長孔２０ａが後側ガイドレール部１６の後側ガイド溝１８に沿って設けられている。また、後側ガイド軸１７は、図３および図４に示すように、鍵盤蓋９の後端部に沿って配置され、その両端部が鍵盤蓋９の後端部の両側にそれぞれ取り付けられた取付片２０の各長孔２０ａ内に移動可能に挿入され、この挿入された各軸端部１７ａが、両側の側板２にそれぞれ設けられた後側ガイドレール部１６の後側ガイド溝１８内に移動可能に挿入されるように構成されている。
【００１９】
これにより、この後側ガイド軸１７は、図１に示すように、鍵盤蓋９が鍵盤部７を覆って閉じた際に、後側ガイドレール部１６の後側ガイド溝１８内の前端部１８ａに当接し、この状態で鍵盤蓋９が更に前側（図１では左側）に移動して閉じることにより、図５（ａ）および図５（ｂ）に示すように、取付片２０の長孔２０ａ内を後部側（図５（ｂ）では右側）に向けて移動して長孔２０ａ内の後部に当接するように構成されている。
【００２０】
また、この後側ガイド軸１７は、図２に示すように、鍵盤蓋９を開いて楽器ケース１内に収納する際に、後側ガイドレール部１６の後側ガイド溝１８内の後端部１８ｂに向けて移動すると共に、図５（ｃ）に示すように、取付片２０の長孔２０ａ内を前部側（図５（ｃ）では左側）に向けて移動し、鍵盤蓋９が楽器ケース１内に収納された際に、後側ガイド溝１８内の後端部１８ｂに当接すると共に、取付片２０の長孔２０ａ内の前部に当接するように構成されている。
【００２１】
一方、ばね部材２１は、図３〜図５に示すように、引っ張りコイルばねであり、一端部２１ａが後側ガイド軸１７に回転自在に取り付けられた軸取付板２２に取り付けられ、他端部２１ｂが鍵盤蓋９の下面に設けられたばね取付板２３に取り付けられ、この状態で後側ガイド軸１７を鍵盤蓋９の前側（図５（ｃ）では左側）に向けて引き寄せるように構成されている。この場合、ばね取付板２３は、鍵盤蓋９の後端部に取り付けられた取付片２０よりも鍵盤蓋９の前側に位置する箇所に設けられている。
【００２２】
これにより、ばね部材２１は、図２に示すように、鍵盤蓋９を開いて楽器ケース１内に収納する際に、図５（ｃ）に示すように、ばね部材２１のばね力によって後側ガイド軸１７を取付片２０の長孔２０ａ内の前部に引き寄せて当接させ、この状態で後側ガイド軸１７を後側ガイドレール部１６の後側ガイド溝１８内の後端部１８ｂに向けて移動させるように構成されている。
【００２３】
また、このばね部材２１は、図２および図５に示すように、鍵盤蓋９を開いた状態から閉じる際に、図５（ｃ）に示すように、ばね部材２１のばね力によって後側ガイド軸１７を取付片２０の長孔２０ａ内の前部（図５（ｃ）では左側）に引き寄せて当接させ、この状態で後側ガイド軸１７を後側ガイドレール部１６の後側ガイド溝１８内の前端部１８ａに向けて移動させるように構成されている。
【００２４】
さらに、このばね部材２１は、図１に示すように、鍵盤蓋９が鍵盤部７を覆って閉じる際に、後側ガイド軸１７が後側ガイドレール部１６の後側ガイド溝１８内の前端部１８ａに当接すると、図５（ａ）および図５（ｂ）に示すように、後側ガイド軸１７によってばね部材２１がばね力に抗して伸びることにより、後側ガイド軸１７を取付片２０の長孔２０ａ内の後部側（図５（ｂ）では右側）に向けて移動させて長孔２０ａ内の後部に当接させるように構成されている。
【００２５】
この場合、後側ガイド軸１７の両端部には、図１〜図５に示すように、ピニオンギア２４が回転自在に取り付けられている。また、後側ガイドレール部１６には、ピニオンギア２４が噛み合って回転移動するラックギア２５が後側ガイド溝１８に沿って設けられている。これにより、ピニオンギア２４は、鍵盤蓋９の開閉動作に連動して後側ガイド軸１７が後側ガイドレール部１６の後側ガイド溝１８にガイドされながら移動する際に、ラックギア２５に噛み合って回転移動するように構成されている。
【００２６】
次に、この鍵盤蓋９の開閉装置１０の作用について説明する。
鍵盤蓋９が開いて楽器ケース１内に収納された状態から鍵盤蓋９を引き出して閉じる際には、図２に示すように、鍵盤蓋９の前端部に取り付けられた取手部１１に手を掛けて鍵盤蓋９を手前側（図２では左側）に引き出す。このときには、図２および図５（ｃ）に示すように、ガイド摺動連結部材１５におけるばね部材２１のばね力によってガイド摺動連結部材１５の後側ガイド軸１７が鍵盤蓋９の前側に付勢されていることにより、後側ガイド軸１７が取付片２０の長孔２０ａ内における前部に移動して当接している。
【００２７】
この状態で、鍵盤蓋９が閉じる方向に移動する際には、鍵盤蓋９の前端部に設けられた前側ガイド軸１４がガイド部１２の前側ガイド溝１３に沿って楽器ケース１の前側（図２では左側）に向けて移動すると共に、鍵盤蓋９の後端部に位置するガイド摺動連結部材１５の後側ガイド軸１７が後側ガイドレール部１６の後側ガイド溝１８に沿って楽器ケース１の前側（図２では左側）に向けて移動する。このときには、後側ガイド軸１７のピニオンギア２４が後側ガイドレール部１６に設けられたラックギア２５に噛み合って回転しながら楽器ケース１の前側に向けて移動する。
【００２８】
そして、鍵盤蓋９が鍵盤部７を覆って閉じる際には、図１に示すように、ガイド摺動連結部材１５の後側ガイド軸１７が後側ガイドレール部１６の後側ガイド溝１８内における前端部１８ａに当接する。この状態で、更に鍵盤蓋９が前側に移動して完全に閉じる際には、図５（ａ）および図５（ｂ）に示すように、ガイド摺動連結部材１５の後側ガイド軸１７が鍵盤蓋９の後端部に設けられた取付片２０の長孔２０ａ内を鍵盤蓋９の後部側（図５（ｂ）では右側）に向けて相対的に移動する。
【００２９】
このときには、図１に示すように、ガイド摺動連結部材１５の後側ガイド軸１７が後側ガイド溝１８内の前端部１８ａに当接しているので、この状態で鍵盤蓋９が前側（図１では左側）に移動すると、図５（ａ）および図５（ｂ）に示すように、ばね部材２１がそのばね力に抗して伸びながら、後側ガイド軸１７が鍵盤蓋９の取付片２０の長孔２０ａ内を鍵盤蓋９の後部側（図５（ｂ）では右側）に向けて相対的に移動する。
【００３０】
このため、鍵盤蓋９が鍵盤部７を完全に覆って閉じるときには、図５（ａ）および図５（ｂ）に示すように、ばね部材２１のばね力によって鍵盤蓋９が制動されることにより、鍵盤蓋９が急激に閉じることがなく、鍵盤蓋９をゆっくり閉じることができるので、安全に鍵盤蓋９を閉じることができる。
【００３１】
一方、鍵盤蓋９を開いて楽器ケース１内に収納する際には、図１に示すように、取手部１１に手を掛けて鍵盤蓋９を楽器ケース１の後側（図１では右側）に向けて移動させる。このように、鍵盤蓋９が開く方向に移動を開始する際には、図１および図５（ｂ）に示すように、ガイド摺動連結部材１５におけるばね部材２１のばね力によってガイド摺動連結部材１５の後側ガイド軸１７が鍵盤蓋９の前側に引き寄せられる。
【００３２】
このため、鍵盤蓋９が楽器ケース１内に向けて開き移動を開始する際には、鍵盤蓋９を軽い力で開く方向に移動させることができる。これにより、図５（ｃ）に示すように、後側ガイド軸１７が取付片２０の長孔２０ａ内を鍵盤蓋９の前側（図５（ｃ）では左側）に向けて相対的に移動して取付片２０の長孔２０ａ内における前部に当接する。
【００３３】
この状態で、鍵盤蓋９が開く方向に移動して楽器ケース１内に収納される際には、図２および図５（ｃ）に示すように、ガイド摺動連結部材１５の後側ガイド軸１７が取付片２０の長孔２０ａ内の前部に当接した状態で、鍵盤蓋９の前端部に設けられた前側ガイド軸１４がガイド部１２の前側ガイド溝１３に沿って楽器ケース１の後側に向けて移動すると共に、鍵盤蓋９の後端部に位置するガイド摺動連結部材１５の後側ガイド軸１７が後側ガイドレール部１６の後側ガイド溝１８に沿って楽器ケース１の後側に向けて移動する。これにより、鍵盤蓋９が楽器ケース１内に収納される。
【００３４】
このように、この鍵盤楽器における鍵盤蓋９の開閉装置１０によれば、楽器ケース１に対してスライドする鍵盤蓋９が楽器ケース１内の鍵盤部７を覆って閉じた位置から、鍵盤蓋９が楽器ケース１内に移動して鍵盤部７を露出させる位置まで鍵盤蓋９をガイドするガイド部１２と、鍵盤蓋９とガイド部１２とを摺動自在に連結するガイド摺動連結部材１５とを備えているので、鍵盤蓋９の収納スペースをコンパクトに形成して、楽器全体の小型化を図ることができる。
【００３５】
すなわち、この鍵盤蓋９の開閉装置１０では、ガイド部１２によって鍵盤蓋９がガイドされて移動する際に、ガイド摺動連結部材１５によって鍵盤蓋９をガイド部１２に対して相対的に摺動させて鍵盤蓋９の移動長さを鍵盤蓋９のスライド方向の長さよりも短くすることができる。これにより、鍵盤蓋９を楽器ケース１内に確実に且つ良好に収納することができると共に、鍵盤部７を鍵盤蓋９で確実に且つ良好に覆うことができる。このため、楽器ケース１内における鍵盤蓋９の収納スペースをコンパクトに形成することができ、これにより楽器全体の小型化を図ることができる。
【００３６】
この場合、ガイド部１２は、鍵盤蓋９のスライド方向における一端部である前端部をガイドする前側ガイド溝１３と、鍵盤蓋９のスライド方向における他端部である後端部をガイドする後側ガイドレール部１６とを備えていることにより、鍵盤蓋９の前部と鍵盤蓋９の後部とをそれぞれガイド部１２によってガイドすることができるので、鍵盤蓋９をガイド部１２によって安定した状態で良好に移動させることができ、これにより鍵盤蓋９を円滑に且つ良好に開閉させることができる。
【００３７】
また、この鍵盤蓋９の開閉装置１０では、ガイド摺動連結部材１５が、鍵盤蓋９のスライド方向における後端部に取り付けられてガイド部１２の後側ガイドレール部１６に沿う長孔２０ａを有する取付片２０と、この取付片２０の長孔２０ａ内に移動可能に配置された状態でガイド部１２の後側ガイドレール部１６に沿ってガイドされる後側ガイド軸１７とを備えていることにより、ガイド部１２の後側ガイドレール部１６の長さを鍵盤蓋９のスライド方向の長さよりも短く形成することができ、これにより楽器ケース１内における鍵盤蓋９の収納スペースをコンパクトに形成することができる。
【００３８】
すなわち、この鍵盤蓋９の開閉装置１０では、鍵盤蓋９が鍵盤部７を覆って閉じる際に、ガイド摺動連結部材１５の後側ガイド軸１７が後側ガイドレール部１６の後側ガイド溝１８に沿って移動して後側ガイド溝１８の前端部１８ａに当接すると、この後側ガイド軸１７が鍵盤蓋９に設けられた取付片２０の長孔２０ａ内をその後部に向けて相対的に移動するので、この取付片２０の長孔２０ａ内を後側ガイド軸１７が移動する長さだけ、後側ガイドレール部１６の後側ガイド溝１８の長さを短くすることができ、これにより楽器ケース１内における鍵盤蓋９の収納スペースをコンパクトに形成することができる。
【００３９】
また、このガイド摺動連結部材１５は、後側ガイド軸１７を鍵盤蓋９の閉じる方向である鍵盤蓋９の前側に向けて付勢するばね部材２１を備えていることにより、後側ガイド軸１７が取付片２０の長孔２０ａ内で勝手に移動することがなく、後側ガイド軸１７を取付片２０の長孔２０ａ内の前部に弾力的に当接させることができ、これにより後側ガイド軸１７を弾力的に位置規制することができるので、鍵盤蓋９を安定した状態で円滑に且つ良好に開閉することができる。
【００４０】
この場合、鍵盤蓋９が閉じる方向である前側に移動して完全に閉じる際には、ガイド摺動連結部材１５の後側ガイド軸１７が後側ガイド溝１８内の前端部１８ａに当接した状態で、鍵盤蓋９が更に閉じる方向に移動するため、ばね部材２１がそのばね力に抗して伸びながら、後側ガイド軸１７を鍵盤蓋９の取付片２０の長孔２０ａ内で相対的に移動させることができる。
【００４１】
このため、鍵盤蓋９が鍵盤部７を完全に覆って閉じるときには、ばね部材２１のばね力によって鍵盤蓋９が急激に閉じることがなく、鍵盤蓋９をゆっくり閉じることができるので、安全に鍵盤蓋９を閉じることができる。また、鍵盤蓋９が楽器ケース１内に向けて開き移動を開始する際には、ばね部材２１のばね力によって鍵盤蓋９が開く方向に付勢されているので、鍵盤蓋９を軽い力で開く方向に移動させることができ、これにより鍵盤蓋９の開閉操作性を向上させることができる。
【００４２】
さらに、この鍵盤蓋９の開閉装置１０では、後側ガイド軸１７に回転自在に取り付けられたピニオンギア２４と、ガイド部１２の後側ガイドレール部１６に設けられて鍵盤蓋９の開閉動作に応じてピニオンギア２４が噛み合って回転移動するラックギア２５とを備えているので、鍵盤蓋９を開閉する際に、後側ガイド軸１７がガイドレール部１６の後側ガイド溝１８に対して滑りを生じることがなく、ピニオンギア２４をラックギア２５に噛み合せて確実に回転移動させることができ、これにより、より一層、安定した状態で円滑に且つ良好に鍵盤蓋９を開閉させることができる。
【００４３】
（第２実施形態）
次に、図６および図７を参照して、この発明を鍵盤楽器に適用した第２実施形態について説明する。なお、図１〜図５に示された第１実施形態と同一部分には同一符号を付して説明する。
この鍵盤楽器における鍵盤蓋９の開閉装置３０は、図６および図７に示すように、ガイド摺動連結部材３１のばね部材３２が第１実施形態と異なる構成であり、これ以外は第１実施形態とほぼ同じ構成になっている。
【００４４】
すなわち、このガイド摺動連結部材３１のばね部材３２は、圧縮コイルばねであり、図７（ａ）および図７（ｂ）に示すように、一端部３２ａが後側ガイド軸１７に回転自在に取り付けられた軸取付板２２に圧接して取り付けられ、他端部３２ｂが鍵盤蓋９の下面に設けられたばね取付板２３に圧接して取り付けられ、この状態で後側ガイド軸１７を鍵盤蓋９の後側（図７（ｂ）では右側）に向けて押し出すように構成されている。
【００４５】
これにより、このばね部材３２は、図６に示すように、鍵盤蓋９を開いて楽器ケース１内に収納する際に、図７（ｂ）に示すように、ばね部材３２のばね力によって後側ガイド軸１７を取付片２０の長孔２０ａ内の後部（図７（ｂ）では右側部）に押し付け、この状態で後側ガイド軸１７を後側ガイドレール部１６の後側ガイド溝１８内の後端部１８ｂに向けて移動させるように構成されている。
【００４６】
また、このばね部材３２は、図６に示すように、鍵盤蓋９を開いて楽器ケース１内に完全に押し込んで収納する際に、後側ガイド軸１７が後側ガイド溝１８内の後端部１８ｂに当接すると、図７（ａ）に示すように、後側ガイド軸１７によってばね部材３２がそのばね力に抗して圧縮することにより、後側ガイド軸１７を取付片２０の長孔２０ａ内において、その前部側（図７（ａ）では左側）に向けて移動させて長孔２０ａ内の前部に当接させるように構成されている。
【００４７】
さらに、このばね部材３２は、図６に示すように、鍵盤蓋９が開いて楽器ケース１内に収納された状態から閉じる際に、図７（ｂ）に示すように、圧縮されたばね部材３２のばね力によって後側ガイド軸１７を押し出して取付片２０の長孔２０ａ内の後部（図７（ｂ）では右側）に当接させ、この状態で後側ガイド軸１７を後側ガイドレール部１６の後側ガイド溝１８内の前端部１８ａに向けて移動させるように構成されている。
【００４８】
次に、このような鍵盤蓋９の開閉装置３０の作用について説明する。
鍵盤蓋９を開いて楽器ケース１内に収納する際には、取手部１１に手を掛けて鍵盤蓋９を楽器ケース１の後側に向けて移動させる。このときには、図６および図７（ｂ）に示すように、ガイド摺動連結部材３１におけるばね部材３２のばね力によってガイド摺動連結部材３１の後側ガイド軸１７が鍵盤蓋９の後側（図７（ｂ）では右側）に向けて付勢されていることにより、後側ガイド軸１７が取付片２０の長孔２０ａ内における後部に当接している。
【００４９】
この状態で、鍵盤蓋９が開く方向に移動する際には、鍵盤蓋９の前端部に設けられた前側ガイド軸１４がガイド部１２の前側ガイド溝１３に沿って楽器ケース１の後側（図６では右側）に向けて移動すると共に、鍵盤蓋９の後端部に位置するガイド摺動連結部材３１の後側ガイド軸１７が後側ガイドレール部１６の後側ガイド溝１８に沿って楽器ケース１の後側（図６では右側）に向けて移動する。このときには、後側ガイド軸１７のピニオンギア２４が後側ガイドレール部１６に設けられたラックギア２５に噛み合って回転しながら楽器ケース１の後側に向けて移動する。
【００５０】
そして、鍵盤蓋９が開いて楽器ケース１内に収納される際には、図６に示すように、ガイド摺動連結部材３１の後側ガイド軸１７が後側ガイドレール部１６の後側ガイド溝１８内における後端部１８ｂに当接する。この状態で、更に鍵盤蓋９が後側に移動して完全に収納される際には、図７（ｂ）に示すように、ガイド摺動連結部材３１の後側ガイド軸１７が鍵盤蓋９の後端部に設けられた取付片２０の長孔２０ａ内を鍵盤蓋９の前側（図７（ａ）では左側）に向けて相対的に移動する。
【００５１】
このときには、図６に示すように、ガイド摺動連結部材３１の後側ガイド軸１７が後側ガイド溝１８内の後端部１８ｂに当接しているので、この状態で鍵盤蓋９が開く方向である後側に移動すると、図７（ａ）に示すように、ばね部材３２がそのばね力に抗して圧縮されながら、後側ガイド軸１７が鍵盤蓋９の取付片２０の長孔２０ａ内を鍵盤蓋９の前部側（図７（ａ）では左側）に向けて相対的に移動する。
【００５２】
このため、鍵盤蓋９が完全に開いて楽器ケース１内に収納されるときには、図７（ａ）および図７（ｂ）に示すように、ばね部材３２のばね力によって鍵盤蓋９が制動されることにより、鍵盤蓋９が急激に開くことがなく、鍵盤蓋９をゆっくり開くことができるので、安全に鍵盤蓋９を開くことができる。
【００５３】
一方、鍵盤蓋９が開いて楽器ケース１内に収納された状態から閉じる際には、取手部１１に手を掛けて鍵盤蓋９を楽器ケース１の前側（図６では左側）に向けて移動させる。このように、鍵盤蓋９が閉じる方向に移動を開始する際には、図７（ｂ）に示すように、ガイド摺動連結部材３１における圧縮されたばね部材３２のばね力によって、ガイド摺動連結部材３１の後側ガイド軸１７が鍵盤蓋９の後側（図７（ａ）では右側）に押し出される。
【００５４】
このため、鍵盤蓋９が閉じる方向に移動を開始する際には、鍵盤蓋９を軽い力で閉じる方向に移動させることができる。これにより、図７（ｂ）に示すように、後側ガイド軸１７が取付片２０の長孔２０ａ内を鍵盤蓋９の後側（図７（ｂ）では右側）に向けて相対的に移動して取付片２０の長孔２０ａ内における後部に当接する。
【００５５】
この状態で、鍵盤蓋９が閉じる方向に移動して鍵盤部７を覆う際には、図６および図７（ｂ）に示すように、ガイド摺動連結部材３１の後側ガイド軸１７が取付片２０の長孔２０ａ内の後部に当接した状態で、鍵盤蓋９の前端部に設けられた前側ガイド軸１４がガイド部１２の前側ガイド溝１３に沿って楽器ケース１の前側に向けて移動すると共に、鍵盤蓋９の後端部に位置するガイド摺動連結部材３１の後側ガイド軸１７が後側ガイドレール部１６の後側ガイド溝１８に沿って楽器ケース１の前側に向けて移動する。これにより、鍵盤蓋９が鍵盤部７を覆って閉じる。
【００５６】
このように、この鍵盤楽器における鍵盤蓋９の開閉装置３０によれば、ガイド部１２の後側ガイドレール部１６によって鍵盤蓋９がガイドされて移動する際に、ガイド摺動連結部材３１によって鍵盤蓋９をガイド部１２の後側ガイドレール部１６に対して相対的に摺動させて鍵盤蓋９の移動長さを鍵盤蓋９のスライド方向の長さよりも短くすることができる。これにより、鍵盤蓋９を楽器ケース１内に確実に且つ良好に収納することができると共に、鍵盤部７を鍵盤蓋９で確実に且つ良好に覆うことができる。このため、第１実施形態と同様、楽器ケース１内における鍵盤蓋９の収納スペースをコンパクトに形成することができ、これにより楽器全体の小型化を図ることができる。
【００５７】
この場合にも、ガイド摺動連結部材３１は、鍵盤蓋９のスライド方向における後端部に取り付けられてガイド部１２の後側ガイドレール部１６に沿う長孔２０ａを有する取付片２０と、この取付片２０の長孔２０ａ内に移動可能に配置された状態でガイド部１２の後側ガイドレール部１６に沿ってガイドされる後側ガイド軸１７とを備えていることにより、ガイド部１２の後側ガイドレール部１６の長さを鍵盤蓋９のスライド方向の長さよりも短く形成することができ、これにより楽器ケース１内における鍵盤蓋９の収納スペースをコンパクトに形成することができる。
【００５８】
すなわち、この鍵盤蓋９の開閉装置３０では、鍵盤蓋９を開いて楽器ケース１内に収納する際に、ガイド摺動連結部材３１の後側ガイド軸１７が後側ガイドレール部１６の後側ガイド溝１８に沿って移動して後側ガイド溝１８の後端部１８ｂに当接すると、後側ガイド軸１７が鍵盤蓋９に設けられた取付片２０の長孔２０ａ内をその前部に向けて相対的に移動するので、この取付片２０の長孔２０ａ内を後側ガイド軸１７が移動する長さだけ、後側ガイドレール部１６の後側ガイド溝１８の長さを短くすることができ、これにより楽器ケース１内における鍵盤蓋９の収納スペースをコンパクトに形成することができる。
【００５９】
また、このガイド摺動連結部材３１は、後側ガイド軸１７を鍵盤蓋９の開く方向である鍵盤蓋９の後側に向けて付勢するばね部材３２を備えていることにより、後側ガイド軸１７が取付片２０の長孔２０ａ内で勝手に移動することがなく、後側ガイド軸１７を取付片２０の長孔２０ａ内の後部に弾力的に当接させることができ、これにより第１実施形態と同様、後側ガイド軸１７を弾力的に位置規制することができるので、鍵盤蓋９を安定した状態で円滑に且つ良好に開閉させることができる。
【００６０】
この場合には、鍵盤蓋９が開く方向に移動して完全に楽器ケース１内に収納される際には、ガイド摺動連結部材３１の後側ガイド軸１７が後側ガイド溝１８内の後端部１８ｂに当接した状態で、鍵盤蓋９が更に開く方向に移動するため、ばね部材３２１がそのばね力に抗して圧縮しながら、後側ガイド軸１７を鍵盤蓋９の取付片２０の長孔２０ａ内で相対的に移動させることができる。
【００６１】
このため、鍵盤蓋９が楽器ケース１内に収納されるときには、ばね部材３２のばね力によって鍵盤蓋９が急激に開いて収納されることがなく、鍵盤蓋９をゆっくり開いて収納することができるので、安全に鍵盤蓋９を開くことができる。また鍵盤蓋９が鍵盤部７を覆う方向に閉じ始める際には、ばね部材３２のばね力によって鍵盤蓋９が閉じる方向に付勢されているので、鍵盤蓋９を軽い力で閉じる方向に移動させることができ、これにより鍵盤蓋９の開閉操作性を向上させることができる。
【００６２】
なお、上述した第１、第２の各実施形態では、鍵盤蓋９の後端部にガイド摺動連結部材１５、３１を設けた場合について述べたが、これに限らず、例えば鍵盤蓋９の前端部にガイド摺動連結部材１５、３１を設けた構成であっても良い。この場合には、鍵盤蓋９の前端部に取付片２０を設け、この取付片２０の長孔２０ａ内に前側ガイド軸１４を移動可能に配置した状態で前側ガイド溝１３でガイドするように構成すれば良い。
【００６３】
また、この場合にも、前側ガイド軸１４をばね部材２１、３２によって鍵盤蓋９の前側と後側とのいずれか一方に向けて付勢するように構成すれば良い。このように構成すれば、ガイド部１２の前側ガイド溝１３の長さを短くすることができるので、第１、第２の各実施形態と同様、楽器ケース１内における鍵盤蓋９の収納スペースをコンパクトに形成することができ、これにより楽器全体の小型化を図ることができる。
【００６４】
（第３実施形態）
次に、図８〜図１１を参照して、この発明を鍵盤楽器に適用した第３実施形態について説明する。この場合にも、図１〜図５に示された第１実施形態と同一部分に同一符号を付して説明する。
この鍵盤楽器における鍵盤蓋９の開閉装置４０は、図８および図９に示すように、ガイド摺動連結部材４１が第１実施形態と異なる構成であり、これ以外は第１実施形態とほぼ同じ構成になっている。
【００６５】
このガイド摺動連結部材４１は、図８〜図１１に示すように、鍵盤蓋９のスライド方向における後端部にガイド部１２の後側ガイドレール部１６に沿って移動可能に取り付けられた可動取付片４２と、この可動取付片４２に回転自在に取り付けて後側ガイドレール部１６に沿ってガイドされる後側ガイド軸４３とを備えている。
【００６６】
可動取付片４２は、図１０（ａ）および図１０（ｂ）に示すように、前端部（図１０（ａ）では左上側部）の下面（図１０（ａ）では上面）にストッパ突起４４ａが設けられたスライド板４４と、このスライド板４４の後端部（図１０（ａ）では右下側部）における下面（図１０（ａ）では上面）に設けられた一対の軸取付部４５とを備えている。
【００６７】
この可動取付片４２は、図１０（ａ）および図１０（ｂ）に示すように、スライド板４４が鍵盤蓋９の取付ガイド部４６によって鍵盤蓋９の下面に後側ガイドレール部１６に沿って移動可能に取り付けられている。この場合、取付ガイド部４６は、鍵盤蓋９の後部における下面に設けられている。スライド板４４は、前端部のストッパ突起４４ａと後端部の一対の軸取付部４５との間が取付ガイド部４６によって鍵盤蓋９の下面にスライド可能に取り付けられるように構成されている。
【００６８】
また、後側ガイド軸４３は、図１０（ａ）および図１０（ｂ）に示すように、可動取付片４２の一対の軸取付部４５に回転自在に取り付けられている。この後側ガイド軸４３は、第１実施形態と同様、その両側の各軸端部４３ａが両側の側板２に設けられた後側ガイドレール部１６の後側ガイド溝１８にそれぞれ挿入してガイドされるように構成されている。また、この後側ガイド軸４３には、第１実施形態と同様、後側ガイドレール部１６に設けられたラックギア２５に噛み合って回転移動するピニオンギア２４が回転自在に取り付けられている。
【００６９】
ところで、このガイド摺動連結部材４１は、図１０および図１１に示すように、可動取付片４２を鍵盤蓋９の前側（図１１（ｂ）では左側）に向けて付勢する一対のばね部材４７を備えている。この一対のばね部材４７は、引っ張りコイルばねであり、一端部４７ａが可動取付片４２の軸取付部４５に取り付けられ、他端部４７ｂが取付ガイド部４６の両側部にそれぞれ設けられた一対の取付ピン４６ａに取り付けられ、この状態で可動取付片４２を後側ガイド軸４３と共に鍵盤蓋９の前側に向けて引き寄せるように構成されている。
【００７０】
これにより、一対のばね部材４７は、図９に示すように、鍵盤蓋９を開いて楽器ケース１内に収納する際に、図１１（ｂ）に示すように、ばね部材４７のばね力によって可動取付片４２を鍵盤蓋９の前部（図１１（ｂ）では左側）に引き寄せて軸取付部４５を取付ガイド部４６に接近させ、この状態で可動取付片４２を後側ガイド軸４３と共に後側ガイドレール部１６の後側ガイド溝１８内の後端部１８ｂに向けて移動させるように構成されている。
【００７１】
また、この一対のばね部材４７は、図９に示すように、鍵盤蓋９を開いた状態から閉じる際に、図１１（ｂ）に示すように、ばね部材４７のばね力によって可動取付片４２を鍵盤蓋９の前部（図１１（ｂ）では左側部）に引き寄せて軸取付部４５を取付ガイド部４６に接近させ、この状態で可動取付片４２を後側ガイド軸４３と共に後側ガイドレール部１６の後側ガイド溝１８内の前端部１８ａに向けて移動させるように構成されている。
【００７２】
さらに、この一対のばね部材４７は、図８に示すように、鍵盤蓋９が鍵盤部７を覆って閉じる際に、後側ガイド軸４３が後側ガイドレール部１６の後側ガイド溝１８内の前端部１８ａに当接すると、図１１（ａ）に示すように、後側ガイド軸４３によってばね部材４７がばね力に抗して伸びるように構成されている。
【００７３】
これにより、一対のばね部材４７は、図１１（ａ）に示すように、可動取付片４２のスライド板４４を取付ガイド部４６に沿って鍵盤蓋９の後部側（図１１（ａ）では右側）に向けて相対的に移動させ、この移動した可動取付片４２のスライド板４４に設けられたストッパ突起４４を取付ガイド部４６の前部に当接させるように構成されている。
【００７４】
次に、この鍵盤蓋９の開閉装置１０の作用について説明する。
鍵盤蓋９が開いて楽器ケース１内に収納された状態から鍵盤蓋９を引き出して閉じる際には、第１実施形態と同様、鍵盤蓋９の前端部に取り付けられた取手部１１に手を掛けて鍵盤蓋９を手前側に引き出す。このときには、図１１（ｂ）に示すように、ガイド摺動連結部材４１における一対のばね部材４７のばね力によってガイド摺動連結部材４１の可動取付片４２が鍵盤蓋９の前側（図１１（ｂ）では左側）に付勢されていることにより、可動取付片４２の一対の軸取付部４５が取付ガイド部４６に接近している。
【００７５】
この状態で、鍵盤蓋９が閉じる方向に移動する際には、図９に示すように、鍵盤蓋９の前端部に設けられた前側ガイド軸１４がガイド部１２の前側ガイド溝１３に沿って楽器ケース１の前側に向けて移動すると共に、鍵盤蓋９の後端部に位置するガイド摺動連結部材４１の後側ガイド軸４３が後側ガイドレール部１６の後側ガイド溝１８に沿って楽器ケース１の前側に向けて移動する。このときには、後側ガイド軸４３のピニオンギア２４が後側ガイドレール部１６に設けられたラックギア２５に噛み合って回転しながら楽器ケース１の前側に向けて移動する。
【００７６】
そして、鍵盤蓋９が鍵盤部７を覆って閉じる際には、図８に示すように、ガイド摺動連結部材４１の後側ガイド軸４３が後側ガイドレール部１６の後側ガイド溝１８内における前端部１８ａに当接する。この状態で、更に鍵盤蓋９が閉じる方向に移動して完全に閉じる際には、図１１（ａ）に示すように、ガイド摺動連結部材４１の可動取付片４２のスライド板４４が鍵盤蓋９の取付ガイド部４６にガイドされて鍵盤蓋９の後部側に向けて相対的に移動する。
【００７７】
このときには、図８に示すように、ガイド摺動連結部材４１の後側ガイド軸４３が後側ガイド溝１８内の前部に当接しているので、鍵盤蓋９が閉じる方向に移動すると、図１１（ａ）に示すように、一対のばね部材４７がそのばね力に抗して伸びながら、可動取付片４２のスライド板４４が鍵盤蓋９の取付ガイド部４６によってガイドされて鍵盤蓋９の後部側（図１１（ａ）では右側）に向けて相対的に移動する。
【００７８】
このため、鍵盤蓋９が鍵盤部７を完全に覆って閉じるときには、図１１（ａ）および図１１（ｂ）に示すように、一対のばね部材４７のばね力によって鍵盤蓋９が制動されることにより、鍵盤蓋９が急激に閉じることがなく、鍵盤蓋９をゆっくり閉じることができるので、安全に鍵盤蓋９を閉じることができる。
【００７９】
一方、鍵盤蓋９を開いて楽器ケース１内に収納する際には、図８に示すように、取手部１１に手を掛けて鍵盤蓋９を楽器ケース１の後側に向けて移動させる。このように、鍵盤蓋９が開く方向に移動を開始する際には、図１１（ｂ）に示すように、ガイド摺動連結部材４１における一対のばね部材４７のばね力によってガイド摺動連結部材４１の可動取付片４２が鍵盤蓋９の前側に引き寄せられる。
【００８０】
このため、鍵盤蓋９が開く方向に移動を開始する際には、鍵盤蓋９を軽い力で開く方向に移動させることができる。これにより、図１１（ｂ）に示すように、可動取付片４２のスライド板４４が取付ガイド部４６によってガイドされて鍵盤蓋９の前側に向けて相対的に移動し、この移動した可動取付片４２の軸取付部４５が取付ガイド部４６に接近する。
【００８１】
この状態で、鍵盤蓋９が開く方向に移動して楽器ケース１内に収納される際には、ガイド摺動連結部材４１の可動取付片４２の軸取付部４５が取付ガイド部４６に接近した状態で、第１実施形態と同様、鍵盤蓋９の前端部に設けられた前側ガイド軸１４がガイド部１２の前側ガイド溝１３に沿って楽器ケース１の後側に向けて移動すると共に、鍵盤蓋９の後端部に位置するガイド摺動連結部材４１の後側ガイド軸４３が後側ガイドレール部１６の後側ガイド溝１８に沿って楽器ケース１の後側に向けて移動する。これにより、鍵盤蓋９が楽器ケース１内に収納される。
【００８２】
このように、この鍵盤蓋９の開閉装置４０によれば、ガイド部１２の後側ガイドレール部１６によって鍵盤蓋９がガイドされて移動する際に、ガイド摺動連結部材４１によって鍵盤蓋９をガイド部１２の後側ガイドレール部１６に対して相対的に摺動させて鍵盤蓋９の移動長さを鍵盤蓋９のスライド方向の長さよりも短くすることができる。これにより、鍵盤蓋９を楽器ケース１内に確実に且つ良好に収納することができると共に、鍵盤部７を鍵盤蓋９で確実に且つ良好に覆うことができる。このため、第１実施形態と同様、楽器ケース１内における鍵盤蓋９の収納スペースをコンパクトに形成することができ、これにより楽器全体の小型化を図ることができる。
【００８３】
この場合、ガイド摺動連結部材４１は、鍵盤蓋９のスライド方向における後端部にガイド部１２の後側ガイドレール部１６に沿って移動可能に取り付けられた可動取付片４２と、この可動取付片４２に回転自在に取り付けて後側ガイドレール部１６に沿ってガイドされる後側ガイド軸４３とを備えていることにより、ガイド部１２の後側ガイドレール部１６の長さを鍵盤蓋９のスライド方向の長さよりも短く形成することができ、これにより楽器ケース１内における鍵盤蓋９の収納スペースをコンパクトに形成することができる。
【００８４】
すなわち、この鍵盤蓋９の開閉装置４０においても、鍵盤蓋９が鍵盤部７を覆って閉じる際に、ガイド摺動連結部材４１の後側ガイド軸４３が後側ガイドレール部１６の後側ガイド溝１８に沿って移動して後側ガイド溝１８の前端部１８ａに当接すると、可動取付片４２が鍵盤蓋９の取付ガイド部４６によってガイドされて鍵盤蓋９の後部に向けて相対的に移動するので、この可動取付片４２が移動する長さだけ、後側ガイドレール部１６の後側ガイド溝１８の長さを短くすることができ、これにより楽器ケース１内における鍵盤蓋９の収納スペースをコンパクトに形成することができる。
【００８５】
また、このガイド摺動連結部材４１は、後側ガイド軸４３を鍵盤蓋９の閉じる方向である鍵盤蓋９の前側に向けて付勢する一対のばね部材４７を備えていることにより、可動取付片４２が取付ガイド部４６によってガイドされて勝手に移動することがなく、可動取付片４２の軸取付部４５を取付ガイド部４６に弾力的に接近させることができ、これにより後側ガイド軸４３を可動取付片４２と共に弾力的に位置規制することができるので、鍵盤蓋９を安定した状態で円滑に且つ良好に開閉させることができる。
【００８６】
この場合、鍵盤蓋９が閉じる方向に移動して完全に閉じる際には、ガイド摺動連結部材４１の後側ガイド軸４３が後側ガイド溝１８内の前端部１８ａに当接した状態で、鍵盤蓋９が更に閉じる方向に移動するため、一対のばね部材４７がそのばね力に抗して伸びながら、可動取付片４２を取付ガイド部４６によってガイドして後側ガイド軸４３と共に相対的に移動させることができる。
【００８７】
このため、鍵盤蓋９が鍵盤部７を完全に覆って閉じるときには、一対のばね部材４７のばね力によって鍵盤蓋９が急激に閉じることがなく、鍵盤蓋９をゆっくり閉じることができるので、安全に鍵盤蓋９を閉じることができる。また、鍵盤蓋が楽器ケース１内に向けて開き移動を開始する際には、一対のばね部材４７のばね力によって鍵盤蓋９が開く方向に付勢されているので、鍵盤蓋９を軽い力で開く方向に移動させることができ、これにより鍵盤蓋９の開閉操作性を向上させることができる。
【００８８】
（第４実施形態）
次に、図１２および図１３を参照して、この発明を鍵盤楽器に適用した第４実施形態について説明する。この場合には、図８〜図１１に示された第３実施形態と同一部分に同一符号を付して説明する。
この鍵盤楽器における鍵盤蓋９の開閉装置５０は、図１２および図１３に示すように、ガイド摺動連結部材５１のばね部材５２が第３実施形態と異なる構成であり、これ以外は第３実施形態とほぼ同じ構成になっている。
【００８９】
すなわち、このガイド摺動連結部材５１のばね部材５２は、圧縮コイルばねであり、図１３（ａ）および図１３（ｂ）に示すように、一端部５２ａが可動取付片４２の軸取付部４５に圧接した状態で取り付けられ、他端部５２ｂが鍵盤蓋９の下面に設けられた取付ガイド部４６のばね取付板４６ｂに圧接した状態で取り付けられ、この状態で可動取付片４２を後側ガイド軸４３と共に鍵盤蓋９の後側（図１３（ａ）では右側）に向けて押し出すように構成されている。この場合、ばね取付板４６ｂは、取付ガイド部４６の両側に位置する上部に起立して設けられている。
【００９０】
これにより、一対のばね部材５２は、図１２に示すように、鍵盤蓋９を開いて楽器ケース１内に収納する際に、図１３（ｂ）に示すように、ばね部材５２のばね力によって可動取付片４２を鍵盤蓋９の後部側に押し出してストッパ突起４４を取付ガイド部４６に当接させ、この状態で可動取付片４２を後側ガイド軸４３と共に後側ガイドレール部１６の後側ガイド溝１８内の後端部１８ｂに向けて移動させるように構成されている。
【００９１】
また、この一対のばね部材５２は、図１２に示すように、鍵盤蓋９を開いて楽器ケース１内に完全に押し込んで収納する際に、後側ガイド軸４３が後側ガイドレール部１６の後側ガイド溝１８内の後端部１８ｂに当接すると、図１３（ａ）に示すように、この後側ガイド軸４３によってばね部材５２がそのばね力に抗して圧縮することにより、可動取付片４２を取付ガイド部４６が後側ガイド軸４３と共にガイドして鍵盤蓋９の前部側（図１３（ａ）では左側）に向けて移動させて、可動取付片４２の軸取付部４５を後側ガイド軸４３と共に取付ガイド部４６に接近させるように構成されている。
【００９２】
さらに、この一対のばね部材５２は、鍵盤蓋９が開いて楽器ケース１内に収納された状態から閉じる際に、図１３（ａ）に示すように、圧縮されたばね部材５２のばね力によって可動取付片４２を取付ガイド部４６がガイドして後側ガイド軸４３と共に鍵盤蓋９の後部側（図１３（ａ）では右側）に向けて押し出し、図１３（ｂ）に示すように、可動取付片４２のスライド板４４上のストッパ突起４４を取付ガイド部４６に当接させ、この状態で後側ガイド軸４３を可動取付片４２と共に後側ガイドレール部１６の後側ガイド溝１８内の前端部１８ａに向けて移動させるように構成されている。
【００９３】
次に、このような鍵盤蓋９の開閉装置５０の作用について説明する。
鍵盤蓋９を開いて楽器ケース１内に収納する際には、取手部１１に手を掛けて鍵盤蓋９を楽器ケース１の後側に向けて移動させる。このときには、図１３（ｂ）に示すように、ガイド摺動連結部材５１におけるばね部材５２のばね力によってガイド摺動連結部材５１の可動取付片４２が後側ガイド軸４３と共に鍵盤蓋９の後側（図１３（ｂ）では右側）に向けて付勢されていることにより、可動取付片４２のストッパ突起４４が取付ガイド部４６に当接している。
【００９４】
この状態で、鍵盤蓋９が開く方向に向けて移動する際には、鍵盤蓋９の前端部に設けられた前側ガイド軸１４がガイド部１２の前側ガイド溝１３に沿って楽器ケース１の前側に向けて移動すると共に、鍵盤蓋９の後端部に位置するガイド摺動連結部材５１の後側ガイド軸４３が可動取付片４２と共に後側ガイドレール部１６の後側ガイド溝１８に沿って楽器ケース１の後側に向けて移動する。このときには、後側ガイド軸４３のピニオンギア２４が後側ガイドレール部１６に設けられたラックギア２５に噛み合って回転しながら楽器ケース１の前側に向けて移動する。
【００９５】
そして、鍵盤蓋９が開いて楽器ケース１内に収納される際には、図１２に示したように、ガイド摺動連結部材５１の後側ガイド軸４３が後側ガイドレール部１６の後側ガイド溝１８内における後端部１８ｂに当接する。この状態で、更に鍵盤蓋９が開く方向に移動して完全に収納される際には、図１３（ａ）に示すように、ガイド摺動連結部材５１の可動取付片４２が取付ガイド部４６によってガイドされて鍵盤蓋９の前側（図１３（ａ）では左側）に向けて相対的に移動する。
【００９６】
このときには、図１２に示すように、ガイド摺動連結部材５１の後側ガイド軸４３が後側ガイド溝１８内の後端部１８ｂに当接しているので、この状態で鍵盤蓋９が開く方向に移動すると、図１３（ａ）に示すように、ばね部材５２がそのばね力に抗して圧縮されながら、可動取付片４２が取付ガイド部４６によってガイドされて後側ガイド軸４３と共に鍵盤蓋９の前側（図１３（ａ）では左側）に向けて相対的に移動する。
【００９７】
このため、鍵盤蓋９が完全に開いて楽器ケース１内に収納されるときには、図１２および図１３（ａ）に示すように、ばね部材３２のばね力によって鍵盤蓋９が制動されることにより、鍵盤蓋９が急激に開くことがなく、鍵盤蓋９をゆっくり開くことができるので、安全に鍵盤蓋９を開くことができる。
【００９８】
一方、鍵盤蓋９が開いて楽器ケース１内に収納された状態から閉じる際に、鍵盤蓋９が閉じる方向に移動を開始すると、図１３（ａ）に示すように、圧縮された状態のばね部材５２のばね力によってガイド摺動連結部材５１の可動取付片４２が後側ガイド軸４３と共に押し出される。このため、鍵盤蓋９を軽い力で楽器ケース１内から引き出すことができる。これにより、可動取付片４２のスライド板４４が取付ガイド部４６によってガイドされて後側ガイド軸４３と共に鍵盤蓋９の後側に向けて相対的に移動し、この可動取付片４２のスライド板４４上のストッパ突起４４が取付ガイド部４６に当接する。
【００９９】
この状態で、鍵盤蓋９が閉じる方向に移動して鍵盤部７を覆う際には、図１３（ｂ）に示すように、ガイド摺動連結部材５１の可動取付片４２のストッパ突起４４が取付ガイド部４６に当接した状態で、鍵盤蓋９の前端部に設けられた前側ガイド軸１４がガイド部１２の前側ガイド溝１３に沿って楽器ケース１の前側に向けて移動すると共に、鍵盤蓋９の後端部に位置するガイド摺動連結部材５１の後側ガイド軸４３が後側ガイドレール部１６の後側ガイド溝１８に沿って可動取付片４２と共に楽器ケース１の前側に向けて移動する。これにより、鍵盤蓋９が鍵盤部７を覆って閉じる。
【０１００】
このように、この鍵盤楽器における鍵盤蓋９の開閉装置５０によれば、ガイド部１２の後側ガイドレール部１６によって鍵盤蓋９がガイドされて移動する際に、ガイド摺動連結部材５１によって鍵盤蓋９をガイド部１２の後側ガイドレール部１６に対して相対的に摺動させて鍵盤蓋９の移動長さを鍵盤蓋９のスライド方向の長さよりも短くすることができる。これにより、鍵盤蓋９を楽器ケース１内に確実に且つ良好に収納することができると共に、鍵盤部７を鍵盤蓋９で確実に且つ良好に覆うことができる。このため、第３実施形態と同様、楽器ケース１内における鍵盤蓋９の収納スペースをコンパクトに形成することができ、これにより楽器全体の小型化を図ることができる。
【０１０１】
すなわち、この鍵盤蓋９の開閉装置５０においても、鍵盤蓋９が開いて楽器ケース１内に収納される際に、ガイド摺動連結部材５１の後側ガイド軸４３が後側ガイドレール部１６の後側ガイド溝１８に沿って移動して後側ガイド溝１８の後端部１８ｂに当接すると、可動取付片４２が鍵盤蓋９に設けられた取付ガイド部４６によってガイドされて後側ガイド軸４３と共に鍵盤蓋９の前部に向けて相対的に移動するので、この可動取付片４２が移動する長さだけ、後側ガイドレール部１６の後側ガイド溝１８の長さを短くすることができ、これにより楽器ケース１内における鍵盤蓋９の収納スペースをコンパクトに形成することができる。
【０１０２】
また、このガイド摺動連結部材５１は、後側ガイド軸４３を鍵盤蓋９の後側に向けて付勢する一対のばね部材５２を備えていることにより、可動取付片４２が取付ガイド部４６によってガイドされて勝手に移動することがなく、可動取付片４２のストッパ突起４４を取付ガイド部４６に弾力的に当接させることができ、これにより後側ガイド軸４３を可動取付片４２と共に弾力的に位置規制することができるので、鍵盤蓋９を安定した状態で円滑に且つ良好に開閉させることができる。
【０１０３】
この場合、鍵盤蓋９が開く方向に移動して楽器ケース１内に完全に収納される際には、ガイド摺動連結部材５１の後側ガイド軸４３が後側ガイド溝１８内の後端部１８ｂに当接した状態で、鍵盤蓋９が更に後側に移動すると、一対のばね部材５２がそのばね力に抗して圧縮しながら、可動取付片４２を取付ガイド部４６によってガイドして後側ガイド軸４３と共に相対的に移動させることができる。
【０１０４】
このため、鍵盤蓋９が楽器ケース１内に完全に収納されるときには、一対のばね部材５２のばね力によって鍵盤蓋９が急激に開くことがなく、鍵盤蓋９をゆっくり開くことができるので、安全に鍵盤蓋９を開くことができる。また、鍵盤蓋９が鍵盤部７を覆う方向に閉じ始める際には、一対のばね部材５２のばね力によって鍵盤蓋９が閉じる方向に付勢されているので、鍵盤蓋９を軽い力で閉じる方向に移動させることができ、これにより鍵盤蓋９の開閉操作性を向上させることができる。
【０１０５】
なお、上述した第１〜第４の各実施形態およびその変形例では、鍵盤蓋９が１枚の板で構成されている場合について述べたが、これに限らず、例えば鍵盤蓋を前蓋と後蓋とに分割し、この前蓋と後蓋とをヒンジによって屈曲可能に連結した構成であっても良く、また必ずしも鍵盤蓋を前蓋と後蓋との２つに分割する必要はなく、３以上に分割してそれぞれヒンジによって屈曲可能に連結した構成であっても良い。
【０１０６】
以上、この発明のいくつかの実施形態について説明したが、この発明は、これらに限られるものではなく、特許請求の範囲に記載された発明とその均等の範囲を含むものである。
以下に、本願の特許請求の範囲に記載された発明を付記する。
【０１０７】
（付記）
請求項１に記載の発明は、鍵盤部を有する楽器ケースに対しスライドして前記鍵盤部を開閉自在に覆う鍵盤蓋の開閉装置において、前記鍵盤蓋が前記鍵盤部を覆って閉じた位置から前記鍵盤蓋が前記楽器ケース内に移動して前記鍵盤部を露出させる位置まで前記鍵盤蓋をガイドするガイド部と、前記鍵盤蓋と前記ガイド部とを摺動自在に連結するガイド摺動連結部材とを備えていることを特徴とする鍵盤蓋の開閉装置である。
【０１０８】
請求項２に記載の発明は、請求項１に記載の鍵盤蓋の開閉装置において、前記ガイド部は、前記鍵盤蓋のスライド方向における一端部をガイドする第１ガイド部と、前記鍵盤蓋のスライド方向における他端部をガイドする第２ガイド部とを備えていることを特徴とする鍵盤蓋の開閉装置である。
【０１０９】
請求項３に記載の発明は、請求項１または請求項２に記載の鍵盤蓋の開閉装置において、前記ガイド摺動連結部材は、前記鍵盤蓋のスライド方向における一方の端部に取り付けられて前記ガイド部に沿う長孔を有する取付片と、この取付片の前記長孔内に移動可能に配置されて前記ガイド部に沿ってガイドされるガイド軸とを備えていることを特徴とする鍵盤蓋の開閉装置である。
【０１１０】
請求項４に記載の発明は、請求項３に記載の鍵盤蓋の開閉装置において、前記ガイド摺動連結部材は、前記ガイド軸を前記鍵盤蓋の前側と前記鍵盤蓋の後側とのいずれか一方に向けて付勢するばね部材を備えていることを特徴とする鍵盤蓋の開閉装置である。
【０１１１】
請求項５に記載の発明は、請求項１または請求項２に記載の鍵盤蓋の開閉装置において、前記ガイド摺動連結部材は、前記鍵盤蓋のスライド方向における一方の端部に前記ガイド部に沿って移動可能に取り付けられた可動取付片と、この可動取付片に回転自在に取り付けて前記ガイド部に沿ってガイドされるガイド軸とを備えていることを特徴とする鍵盤蓋の開閉装置である。
【０１１２】
請求項６に記載の発明は、請求項５に記載の鍵盤蓋の開閉装置において、前記ガイド摺動連結部材は、前記可動取付片を前記鍵盤蓋の前側と前記鍵盤蓋の後側とのいずれか一方に向けて付勢するばね部材を備えていることを特徴とする鍵盤蓋の開閉装置である。
【０１１３】
請求項７に記載の発明は、請求項１〜請求項６のいずれかに記載の鍵盤蓋の開閉装置において、前記ガイド軸に回転自在に取り付けられたピニオンギアと、前記ガイド部に設けられて前記鍵盤蓋の開閉動作に応じて前記ピニオンギアが噛み合って回転移動するラックギアとを備えていることを特徴とする鍵盤蓋の開閉装置である。
【符号の説明】
【０１１４】
１  楽器ケース
７  鍵盤部
９  鍵盤蓋
１０、３０、４０、５０  開閉装置
１２  ガイド部
１３  前側ガイド溝部
１４  前側ガイド軸
１５、３１、４１、５１  ガイド摺動連結部材
１６  後側ガイドレール部
１７、４３  後側ガイド軸部
１８  後側ガイド溝
１８ａ  後側ガイド溝の前端部
１８ｂ  後側ガイド溝の後端部
２０  取付片
２０ａ  長孔
２１、３２、４７、５２  ばね部材
２４  ピニオンギア
２５  ラックギア
４２  可動取付片
４４  スライド板
４５  軸取付部
４６  取付ガイド部
【図１】
2013164505.tif 000003
【図２】
2013164505.tif 000004
【図３】
2013164505.tif 000005
【図４】
2013164505.tif 000006
【図５】
2013164505.tif 000007
【図６】
2013164505.tif 000008
【図７】
2013164505.tif 000009
【図８】
2013164505.tif 000010
【図９】
2013164505.tif 000011
【図１０】
2013164505.tif 000012
【図１１】
2013164505.tif 000013
【図１２】
2013164505.tif 000014
【図１３】
2013164505.tif 000015